(57)【要約】【課題】発停の増加を抑制できる空気調和機を提供する。【解決手段】空気調和機の制御装置（１００）は、第１運転制御部（１００ａ）で冷房運転が一時停止された後、室内温度センサ（１６ｃ）によって検出された室内温度（Ｔ１）が、ユーザが設定した室内温度（Ｔ０）よりも高いとき、または、第１運転制御部（１００ａ）で暖房運転が一時停止された後、室内温度センサ（１６ｃ）によって検出された室内温度（Ｔ１）が、ユーザが設定した室内温度（Ｔ０）よりも低いとき、室内の空調負荷が所定の空調負荷以下であるか否かを判定する判定部（１００ｂ）と、判定部（１００ｂ）によって室内の空調負荷が所定の空調負荷以下であると判定されたとき、ユーザが手動で設定可能な回転数よりも低い回転数で室内ファン（５ｃ）が回転し、かつ、圧縮機（１）が所定の周波数で駆動する条件で、冷房運転または暖房運転を再開させる第２運転制御部（１００ｃ）とを有する。【選択図】図３
2019143950.tif 000002
【特許請求の範囲】
【請求項１】
圧縮機（１）、室外熱交換器（３）、膨張機構（ＥＶＣ）および室内熱交換器（４Ｃ）を有し、冷媒が循環する冷媒回路と、
上記室内熱交換器（４Ｃ）に送風する室内ファン（５ｃ）と、
室内温度を検出する室内温度センサ（１６ｃ）と、
制御装置（１００）と
を備え、
上記制御装置（１００）は、
冷房運転時、上記室内温度センサ（１６ｃ）によって検出された室内温度（Ｔ１）が、ユーザが設定した室内温度（Ｔ０）以下であるとき、冷房運転を一時停止させる一方、暖房運転時、上記室内温度センサ（１６ｃ）によって検出された室内温度（Ｔ１）が、ユーザが設定した室内温度（Ｔ０）以上であるとき、暖房運転を一時停止させる第１運転制御部（１００ａ）と、
上記第１運転制御部（１００ａ）で冷房運転が一時停止された後、上記室内温度センサ（１６ｃ）によって検出された室内温度（Ｔ１）が、ユーザが設定した室内温度（Ｔ０）よりも高いとき、または、上記第１運転制御部（１００ａ）で暖房運転が一時停止された後、上記室内温度センサ（１６ｃ）によって検出された室内温度（Ｔ１）が、ユーザが設定した室内温度（Ｔ０）よりも低いとき、室内の空調負荷が所定の空調負荷以下であるか否かを判定する判定部（１００ｂ）と、
上記判定部（１００ｂ）によって室内の空調負荷が所定の空調負荷以下であると判定されたとき、ユーザが手動で設定可能な回転数よりも低い回転数で上記室内ファン（５ｃ）が回転し、かつ、上記圧縮機（１）が所定の周波数で駆動する条件で、冷房運転または暖房運転を再開させる第２運転制御部（１００ｃ）と
を有することを特徴とする空気調和機。
【請求項２】
請求項１に記載の空気調和機において、
上記制御装置（１００）は、上記判定部１００ｂによって室内の空調負荷が所定の空調負荷を超えると判定されたとき、上記第１運転制御部（１００ａ）で一時停止させた冷房運転または暖房運転を再開させる第３運転制御部（１００ｄ）を有し、
上記所定の周波数は、上記第３運転制御部（１００ｄ）で再開される冷房運転または暖房運転で上記圧縮機（１）を駆動するために使用する周波数以下であることを特徴とする空気調和機。
【請求項３】
請求項１または２に記載の空気調和機において、
上記所定の周波数は、上記圧縮機（１）を運転するための周波数のうちの最低周波数であることを特徴とする空気調和機。
【請求項４】
請求項１から３までのいずれか一項に記載の空気調和機において、
上記第１運転制御部（１００ａ）で一時停止させる冷房運転または暖房運転は、上記室内温度センサ（１６ｃ）（１６ｃ）によって検出された室内温度（Ｔ１）に応じて上記室内ファン（５ｃ）の回転数を自動的に変更する自動冷房運転または自動暖房運転であることを特徴とする空気調和機。
【請求項５】
請求項１から４までのいずれか一項に記載の空気調和機において、
上記制御装置（１００）は、上記第２運転制御部（１００ｃ）で冷房運転が再開された後、上記室内温度センサ（１６ｃ）によって検出された室内温度（Ｔ１）が、ユーザが設定した室内温度（Ｔ０）よりも高いとき、または、上記第２運転制御部（１００ｃ）で暖房運転が再開された後、上記室内温度センサ（１６ｃ）によって検出された室内温度（Ｔ１）が、ユーザが設定した室内温度（Ｔ０）よりも低いとき、上記室内ファン（５ｃ）の回転数と上記圧縮機（１）の周波数との制御モードを、上記第１運転制御部（１００ａ）で一時停止させた冷房運転または暖房運転の制御モードに変更する制御モード変更部（１００ｅ）を有することを特徴とする空気調和機。
【請求項６】
請求項１から５までのいずれか一項に記載の空気調和機において、
冷房定格出力が２．２ｋｗ未満であることを特徴とする空気調和機。
ことを特徴とする空気調和機。
【発明の詳細な説明】
【技術分野】
【０００１】
この開示は、空気調和機に関する。
【背景技術】
【０００２】
従来、空気調和機としては、特開平５−１０６２５号公報（特許文献１）に開示されたものがある。この空気調和機は、室温センサの温度読取値が室温設定値より低いとき、圧縮機を起動させると共に、室内機内の送風機（以下、「室内送風機」と言う。）を強風モードにして、暖房運転をする。
【先行技術文献】
【特許文献】
【０００３】
【特許文献１】特開平５−１０６２５号公報
【発明の概要】
【発明が解決しようとする課題】
【０００４】
上記従来の空気調和機では、室内送風機が強風モードで運転するので、室内送風機が強風モードで運転しないときよりも短い時間で、室温センサの温度読取値が室温設定値を超える。このとき、上記暖房運転を一時停止させて、再び、室温センサの温度読取値が室温設定値より低いとき、暖房運転を再開すると、発停が頻繁に繰り返されてしまうという問題が生じてしまう。
【０００５】
この開示では、発停の増加を抑制できる空気調和機を提供する。
【課題を解決するための手段】
【０００６】
この開示の空気調和機は、
圧縮機、室外熱交換器、膨張機構および室内熱交換器を有し、冷媒が循環する冷媒回路と、
上記室内熱交換器に送風する室内ファンと、
室内温度を検出する室内温度センサと、
制御装置と
を備え、
上記制御装置は、
冷房運転時、上記室内温度センサによって検出された室内温度が、ユーザが設定した室内温度以下であるとき、冷房運転を一時停止させる一方、暖房運転時、上記室内温度センサによって検出された室内温度が、ユーザが設定した室内温度以上であるとき、暖房運転を一時停止させる第１運転制御部と、
上記第１運転制御部で冷房運転が一時停止された後、上記室内温度センサによって検出された室内温度が、ユーザが設定した室内温度よりも高いとき、または、上記第１運転制御部で暖房運転が一時停止された後、上記室内温度センサによって検出された室内温度が、ユーザが設定した室内温度よりも低いとき、室内の空調負荷が所定の空調負荷以下であるか否かを判定する判定部と、
上記判定部によって室内の空調負荷が所定の空調負荷以下であると判定されたとき、ユーザが手動で設定可能な回転数よりも低い回転数で上記室内ファンが回転し、かつ、上記圧縮機が所定の周波数で駆動する条件で、冷房運転または暖房運転を再開させる第２運転制御部と
を有する。
【０００７】
上記構成によれば、上記第１運転制御部により、冷房運転および暖房運転が停止した後、判定部の判定結果に応じて、第２運転制御部により、冷房運転または暖房運転が再開する。このとき、ユーザが手動で設定可能な回転数よりも低い回転数で室内ファンが回転する条件で、冷房運転または暖房運転が再開するので、発停回数の増加を抑制することができる。
【０００８】
この開示の一態様に係る空気調和機では、
上記制御装置は、上記判定部によって室内の空調負荷が所定の空調負荷を超えると判定されたとき、上記第１運転制御部で一時停止させた冷房運転または暖房運転を再開させる第３運転制御部を有し、
上記所定の周波数は、上記第３運転制御部で再開される冷房運転または暖房運転で上記圧縮機を駆動するために使用する周波数以下である。
【０００９】
上記態様によれば、上記第２運転制御部により、冷房運転または暖房運転が再開するとき、第３運転制御部で再開される冷房運転または暖房運転で上記圧縮機を駆動するために使用する周波数以下で、圧縮機が駆動する。したがって、冷房運転時、露付きの発生を抑制することができる一方、暖房運転時、ショートサーキットの発生を抑制することができる。
【００１０】
この開示の一態様に係る空気調和機では、
上記所定の周波数は、上記圧縮機を運転するための周波数のうちの最低周波数である。
【００１１】
上記態様によれば、上記第２運転制御部により、冷房運転または暖房運転が再開するとき、圧縮機を運転するための周波数のうちの最低周波数で、圧縮機が駆動するので、露付きおよびショートサーキットの発生を抑制する効果を高めることができる。
【００１２】
この開示の一態様に係る空気調和機では、
上記第１運転制御部で一時停止させる冷房運転または暖房運転は、上記室内温度センサによって検出された室内温度に応じて上記室内ファンの回転数を自動的に変更する自動冷房運転または自動暖房運転である。
【００１３】
上記態様によれば、上記第１制御部により、自動冷房運転または自動暖房運転を確実に一時停止させることができる。
【００１４】
この開示の一態様に係る空気調和機では、
上記制御装置は、上記第２運転制御部で冷房運転が再開された後、上記室内温度センサによって検出された室内温度が、ユーザが設定した室内温度よりも高いとき、または、上記第２運転制御部で暖房運転が再開された後、上記室内温度センサによって検出された室内温度が、ユーザが設定した室内温度よりも低いとき、上記室内ファンの回転数と上記圧縮機の周波数との制御モードを、上記第１運転制御部で一時停止させた冷房運転または暖房運転の制御モードに変更する制御モード変更部を有する。
【００１５】
上記態様によれば、上記制御モード変更部により、第２運転制御部で冷房運転が再開された後、室内温度と設定温度との差が増加するのを抑制することができる。
【００１６】
この開示の一態様に係る空気調和機では、
冷房定格出力が２．２ｋｗ未満である。
【００１７】
上記態様によれば、定格冷房能力が２．２ｋＷ未満であるので、洗面所やキッチンなどの狭い空間に適した空調を行うことができる。
【図面の簡単な説明】
【００１８】
【図１】本開示の一実施形態の低能力室内機を備えたマルチ型空気調和機の構成図である。
【図２】上記低能力室内機の斜め下方から見た外観図である。
【図３】上記低能力室内機の室内制御装置のブロック図である。
【図４】上記室内制御装置が自動冷房運転時に行う制御を説明するためのフローチャートである。
【図５】上記室内制御装置が自動暖房運転時に行う制御を説明するためのフローチャートである。
【発明を実施するための形態】
【００１９】
以下、空気調和機の実施形態を説明する。なお、各図において共通する部分には同一の符号を付し、重複した説明を省略する。
【００２０】
図１は、本開示の一実施形態の低能力室内機２０Ｃを備えたマルチ型空気調和機の構成図である。
【００２１】
上記マルチ型空気調和機は、図１に示すように、室内熱交換器４Ａと室内ファン５Ａを有する室内機２０Ａと、室内熱交換器４Ｂと室内ファン５Ｂを有する室内機２０Ｂと、室内熱交換器４Ｃと室内ファン５Ｃを有する低能力室内機２０Ｃと、室内機２０Ａ,２０Ｂおよび低能力室内機２０Ｃに冷媒配管を介して接続された室外機１０とを備えている。この室内ファン５Ａ，５Ｂ，５Ｃは、室内熱交換器４Ａ，４Ｂ，４Ｃに送風する。
【００２２】
室外機１０は、複数の室内機が接続可能なマルチ型空気調和機に対応しており、低能力室内機２０Ｃは、マルチ型空気調和機の室内機として動作可能である。
【００２３】
図１において、１は圧縮機、２は圧縮機１の吐出側に一端が接続された四路切換弁、３は四路切換弁２の他端に一端が接続された室外熱交換器、ＥＶＡ,ＥＶＢ,ＥＶＣは室外熱交換器３の他端に一端が夫々接続された電動膨脹弁、４Ａ,４Ｂ,４Ｃは電動膨脹弁ＥＶＡ,ＥＶＢ,ＥＶＣの他端に一端が夫々接続された室内熱交換器、６は室内熱交換器４Ａ,４Ｂ,４Ｃの他端に四路切換弁２を介して一端が接続され、他端が圧縮機１の吸入側に接続されたアキュムレータである。室内熱交換器４Ａ,４Ｂ,４Ｃ近傍に室内ファン５Ａ,５Ｂ,５Ｃを夫々配置している。なお、電動膨脹弁ＥＶＣは膨張機構の一例である。
【００２４】
また、電動膨脹弁ＥＶＡ,ＥＶＢ,ＥＶＣの他端に複数の冷媒配管接続部７Ａ,７Ｂ,７Ｃが接続され、その複数の冷媒配管接続部７Ａ,７Ｂ,７Ｃに連絡配管(冷媒配管)を介して室内熱交換器４Ａ,４Ｂ,４Ｃの一端を夫々接続している。また、室内熱交換器４Ａ,４Ｂ,４Ｃの他端に連絡配管(冷媒配管)を介して複数の冷媒配管接続部８Ａ,８Ｂ,８Ｃが接続されている。
【００２５】
上記圧縮機１と四路切換弁２と室外熱交換器３と電動膨脹弁ＥＶＡ,ＥＶＢ,ＥＶＣと室内熱交換器４Ａ,４Ｂ,４Ｃおよびアキュムレータ６で冷媒回路を構成している。この冷媒回路には、例えば、微燃性のＲ３２冷媒が充填されている。
【００２６】
また、上記圧縮機１の吐出側に吐出管温度センサ１１を設けている。また、室外熱交換器３に室外熱交換器温度を検出する室外熱交換器温度センサ１２を設けると共に、室外熱交換器３の近傍に室外温度を検出する室外温度センサ１３を設けている。
【００２７】
また、室内熱交換器４Ａに室内熱交換器温度を検出する室内熱交換器温度センサ１５Ａを設け、室内熱交換器４Ａの近傍に室内温度を検出する室内温度センサ１６Ａを設けている。また、室内熱交換器４Ｂに室内熱交換器温度を検出する室内熱交換器温度センサ１５Ｂを設け、室内熱交換器４Ｂの近傍に室内温度を検出する室内温度センサ１６Ｂを設けている。また、室内熱交換器４Ｃに室内熱交換器温度を検出する室内熱交換器温度センサ１５Ｃを設け、室内熱交換器４Ｃの近傍に室内温度を検出する室内温度センサ１６Ｃを設けている。
【００２８】
上記室外機１０は、マイクロコンピュータと入出力回路などからなる室外制御装置１８を備えている。また、室内機２０Ａ,２０Ｂは、図示しない室内制御装置を夫々備えており、低能力室内機２０Ｃは、室内制御装置１００（図３に示す）を備えている。なお、室内制御装置１００は制御装置の一例である。
【００２９】
室内機２０Ａ,２０Ｂの各室内制御装置および低能力室内機２０Ｃの室内制御装置１００は、室外機１０の室外制御装置１８と通信線(図示せず)を介して互いに通信を行うことにより、室外制御装置１８と室内機２０Ａ,２０Ｂの室内制御装置および低能力室内機２０Ｃの室内制御装置１００が協調動作することにより、マルチ型空気調和機として動作する。
【００３０】
上記マルチ型空気調和機において、室内機２０Ａ,２０Ｂおよび低能力室内機２０Ｃで冷房運転を行う場合、四路切換弁２を点線の位置に切り換えて、圧縮機１の運転を開始する。そして、電動膨脹弁ＥＶＡ,ＥＶＢ,ＥＶＣを夫々所定の開度に開く。そして、圧縮機１から吐出した高温高圧のガス冷媒は、室外熱交換器３で室外ファン(図示せず)を運転することにより室外空気との熱交換により凝縮して液冷媒となる。次に、室内熱交換器４Ａ,４Ｂ,４Ｃからの液冷媒は、電動膨脹弁ＥＶＡ,ＥＶＢ,ＥＶＣで減圧された後、室内ファン５Ａ,５Ｂ,５Ｃを運転することにより室内熱交換器４Ａ,４Ｂ,４Ｃで室内空気との熱交換により蒸発してガス冷媒となり、圧縮機１の吸入側に戻る。
【００３１】
ここで、室内機２０Ａ,２０Ｂの定格冷房能力は２.２ｋＷであり、低能力室内機２０Ｃの定格冷房能力は０.８ｋＷである。すなわち、低能力室内機２０Ｃは、室内機２０Ａ,２０Ｂよりも能力が低い。
【００３２】
一方、室内機２０Ａ,２０Ｂおよび低能力室内機２０Ｃで暖房運転を行う場合、四路切換弁２を実線の位置に切り換えて、圧縮機１の運転を開始する。そして、電動膨脹弁ＥＶＡ,ＥＶＢ,ＥＶＣを夫々所定の開度に開く。そして、圧縮機１から吐出した高温高圧のガス冷媒は、室内ファン５Ａ,５Ｂ,５Ｃを運転することにより室内熱交換器４Ａ,４Ｂ,４Ｃで室内空気との熱交換により凝縮して液冷媒となる。次に、室内熱交換器４Ａ,４Ｂ,４Ｃからの液冷媒は、電動膨脹弁ＥＶＡ,ＥＶＢ,ＥＶＣで減圧された後、室外熱交換器３で室外ファン(図示せず)を運転することにより室外空気との熱交換により蒸発してガス冷媒となり、圧縮機１の吸入側に戻る。
【００３３】
図２は、低能力室内機２０Ｃを斜め下方から見た外観図である。この室内機は、天井埋め込み型の室内機である。
【００３４】
低能力室内機２０Ｃは、図２に示すように、ケーシング本体１０１と、ケーシング本体１０１の下側に取り付けられた矩形状のパネル１０２と、パネル１０２に着脱可能に取り付けられたグリル１０３とを備えている。
【００３５】
パネル１０２の長手方向の一方に、パネル１０２の短辺に沿って吹出口１１０を設けている。また、パネル１０２にフラップ１２０を回動可能に取り付けている。図２では、フラップ１２０により吹出口１１０が閉じられた状態を示す。
【００３６】
また、ケーシング本体１０１の側壁から突出するようにドレンソケット１０７を設けている。このドレンソケット１０７に外部からドレンホース(図示せず)を接続する。また、配管接続部１０５,１０６を、ケーシング本体１０１の側壁から突出するように設けている。この配管接続部１０５,１０６に、外部から冷媒配管(図示せず)を接続する。
【００３７】
なお、図２において、１０８は電装品部であり、１１１〜１１３は、ケーシング本体１０１から側方に突出するように夫々設けられた吊り金具である。
【００３８】
図３は、低能力室内機２０Ｃの室内制御装置１００のブロック図である。
【００３９】
上記低能力室内機２０Ｃは、図３に示すように、マイクロコンピュータと入出力回路などからなる室内制御装置１００を備えている。室内制御装置１００は、室内熱交換器温度センサ１５Ｃと、室内温度センサ１６Ｃと、ファンモータ２１と、フラップ駆動部２２と、表示部２３が接続されている。また、室内制御装置１００は、第１運転制御部１００ａと、判定部１００ｂと、第２運転制御部１００ｃと、制御モード変更部１００ｅとを有する。また、室内制御装置１００は、室外制御装置１８と通信を行うことにより、室外温度センサ１３によって検出された室外温度を把握することが可能となっている。
【００４０】
第１運転制御部１００ａは、自動冷房運転時、室内温度センサ１６Ｃによって検出された室内温度が、ユーザが設定した室内温度以下であるとき、自動冷房運転を一時停止させる一方、自動暖房運転時、室内温度センサ１６Ｃによって検出された室内温度が、ユーザが設定した室内温度以上であるとき、自動暖房運転を一時停止させる。
【００４１】
ここで、上記自動冷房運転とは、室内温度センサ１６Ｃによって検出された室内温度に応じて室内ファン５Ｃの回転数を自動的に変更する冷房運転を意味する。また、上記自動暖房運転とは、室内温度センサ１６Ｃによって検出された室内温度に応じて室内ファン５Ｃの回転数を自動的に変更する暖房運転を意味する。
【００４２】
判定部１００ｂは、第１運転制御部１００ａで自動冷房運転が一時停止された後、室内温度センサ１６Ｃによって検出された室内温度が、ユーザが設定した室内温度よりも高いとき、または、第１運転制御部１００ａで自動暖房運転が一時停止された後、室内温度センサ１６Ｃによって検出された室内温度が、ユーザが設定した室内温度よりも低いとき、室内の空調負荷が所定の空調負荷以下であるか否かを判定する。
【００４３】
第２運転制御部１００ｃは、判定部１００ｂによって室内の空調負荷が所定の空調負荷以下であると判定されたとき、ユーザが手動で設定可能な回転数よりも低い回転数で室内ファン５Ｃが回転し、かつ、圧縮機１が所定の周波数で駆動する条件で、自動冷房運転または自動暖房運転を再開させる。
【００４４】
第３運転制御部１００ｄは、判定部１００ｂによって室内の空調負荷が所定の空調負荷を超えると判定されたとき、第１運転制御部１００ａで一時停止させた自動冷房運転または自動暖房運転を再開させる。
【００４５】
制御モード変更部１００ｅは、第２運転制御部で自動冷房運転が再開された後、室内温度センサ１６Ｃによって検出された室内温度が、ユーザが設定した室内温度よりも高いとき、または、第２運転制御部で自動暖房運転が再開された後、室内温度センサ１６Ｃによって検出された室内温度が、ユーザが設定した室内温度よりも低いとき、室内ファン５Ｃの回転数と圧縮機１の周波数との制御モードを、第１運転制御部１００ａで一時停止させた自動冷房運転または自動暖房運転の制御モードに変更する。
【００４６】
図４は、室内制御装置１００が自動冷房運転時に行う制御を説明するためのフローチャートである。この制御は自動冷房運転の開始に応じてスタートする。
【００４７】
上記制御がスタートすると、図４に示すように、まず、ステップＳ１で、室内温度センサ１６Ｃによって検出された室内温度Ｔ１が、設定温度Ｔ０から所定の温度（例えば２℃）を引いた温度（以下、「第１基準温度Ｔ０−２」と言う。）以下になっているか否かを判定する。このステップＳ１で、室内温度Ｔ１が第１基準温度Ｔ０−２以下であると判定すると、次のステップＳ２に進む。一方、ステップＳ１で、室内温度Ｔ１が第１基準温度Ｔ０−２以下でないと判定されると、ステップＳ１を再度行う。なお、設定温度Ｔ０とは、例えば、ユーザがリモコン（図示せず）で設定する温度を意味する。
【００４８】
次に、ステップＳ２で、自動冷房運転をサーモＯＦＦする。すなわち、圧縮機１および室内ファン５Ｃを停止させて、自動冷房運転を一時停止状態にする。
【００４９】
次に、ステップＳ３で、室内温度Ｔ１が、設定温度Ｔ０に所定の温度（例えば１℃）を加えた温度（以下、「第２基準温度Ｔ０＋１」と言う。）以上であるか否かを判定する。このステップＳ３で、室内温度Ｔ１を第２基準温度Ｔ０＋１以上であると判定すると、次のステップＳ４に進む。一方、ステップＳ３で、室内温度Ｔ１を第２基準温度Ｔ０＋１以上でないと判定されると、ステップＳ３を再度行う。
【００５０】
次に、ステップＳ４で、室内の空調負荷が所定の標準空調負荷以下であるか否かを判定する。より具体的に言うと、ステップＳ４では、室内温度Ｔ１が所定の室内温度（例えば２７℃）以下、かつ、室外温度センサ１３によって検出された室外温度Ｔ２が所定の室外温度（例えば３５℃）以下になっているかが判定される。このステップＳ４で、室内温度Ｔ１が所定の室内温度以下、かつ、室外温度Ｔ２が所定の室外温度以下になっていると判定されると、次のステップＳ５に進む。一方、ステップＳ４で、室内温度Ｔ１が所定の室内温度以下、かつ、室外温度Ｔ２が所定の室外温度以下になっていないと判定されると、ステップＳ１１で、自動冷房運転を再開して、ステップＳ１に戻る。
【００５１】
次に、ステップＳ５で、小能力冷房運転を開始する。この小能力冷房運転での室内ファン５Ｃの回転数は、冷房運転時、低能力室内機２０Ｃに手動で設定可能な最小風量に対応する回転数よりも小さい回転数（例えば６５０ｒｐｍ）に設定される。このとき、低能力室内機２０Ｃの風量は、例えば１ｍ３／ｍｉｎとなる。また、小能力冷房運転での圧縮機１の周波数は、ステップＳ１１で再開する自動冷房運転ための圧縮機１の周波数（例えば１０Ｈｚ）よりも低い周波数（６Ｈｚ）に設定される。また、小能力冷房運転中、室内ファン５Ｃの回転数と、圧縮機１の周波数とは、一定に保持される。
【００５２】
ここで、低能力室内機２０Ｃの風量は、例えば、「大風量」、「第１中間風量」、「中風量」、「第２中間風量」、「小風量」、「微小風量」の６段階に手動で設定することが可能になっている。この「第１中間風量」は、「大風量」より少なく、かつ、「中風量」よりも多い風量である。また、「第２中間風量」は、「中風量」よりも少なく、かつ、「小風量」よりも多い風量である。また、「大風量」は「中風量」よりも多い風量であり、「小風量」は「中風量」よりも少ない風量である。すなわち、「微小風量」が、低能力室内機２０Ｃに手動で設定可能な最小風量に相当する。また、「微小風量」が手動で設定されたとき、室内ファン５Ｃの回転数は例えば１０００ｒｐｍとなる。
【００５３】
次に、ステップＳ６で、室内温度Ｔ１が設定温度Ｔ０を超えているか否かを判定する。このステップＳ６で、室内温度Ｔ１が設定温度Ｔ０を超えていると判定されると、ステップＳ７で、小能力冷房運転を終了させて、ステップＳ１１に進む。一方、ステップＳ６で、室内温度Ｔ１が設定温度Ｔ０を超えていないと判定されると、ステップＳ６を再び行う。
【００５４】
ここで、第１運転制御部１００ａがステップＳ２を、判定部１００ｂがステップＳ４を、第２運転制御部１００ｃがステップＳ５を、それぞれ実行する。また、ステップＳ４からステップＳ１１に進んだとき、第３運転制御部１００ｄがステップＳ１１を実行する。また、ステップＳ６からステップＳ１１に進んだとき、制御モード変更部１００ｅがステップＳ７，Ｓ１１を実行する。
【００５５】
このように、低能力室内機２０Ｃがサーモ復帰して自動冷房運転を行うとき、第２運転制御部１００ｃがステップＳ５を実行するので、ユーザが手動で設定可能な回転数よりも低い回転数で室内ファン５Ｃが回転する。したがって、室内温度Ｔ１が短時間で設定温度Ｔ０を下回ることがないので、室内を冷房するとき、発停回数の増加を抑制することができる。
【００５６】
また、低能力室内機２０Ｃがサーモ復帰して自動冷房運転を行うとき、第２運転制御部１００ｃがステップＳ５を実行するので、ステップＳ１１で再開する自動冷房運転ための圧縮機１の周波数よりも低い周波数で圧縮機１が駆動する。したがって、フラップ１２０で結露が生じ難くなる。すなわち、低能力室内機２０Ｃにおいて、露付の発生を抑制することができる。
【００５７】
また、第１運転制御部１００ａがステップＳ２を実行するので、自動冷房運転を確実に一時停止させることができる。
【００５８】
また、第３運転制御部１００ｄおよび制御モード変更部１００ｅがＳ１１を実行するので、ユーザは低能力室内機２０Ｃの風量を再度設定しなくて済む。
【００５９】
また、制御モード変更部１００ｅがステップＳ７，Ｓ１１を実行するので、小能力冷房運転が開始された後、室内温度Ｔ１と設定温度Ｔ０との差が増大するのを抑制することができる。
【００６０】
また、低能力室内機２０Ｃの定格冷房能力が２．２ｋＷ未満であるので、洗面所やキッチンなどの狭い空間に適した冷房を行うことができる。
【００６１】
図５は、室内制御装置１００が自動暖房運転時に行う制御を説明するためのフローチャートである。この制御は自動暖房運転の開始に応じてスタートする。
【００６２】
上記制御がスタートすると、図５に示すように、まず、ステップＳ２１で、室内温度センサ１６Ｃによって検出された室内温度Ｔ１が、設定温度Ｔ０から所定の温度（例えば２℃）を加えた温度（以下、「第３基準温度Ｔ０＋２」と言う。）以上になっているか否かを判定する。このステップＳ２１で、室内温度Ｔ１が第３基準温度Ｔ０＋２以上であると判定すると、次のステップＳ２２に進む。一方、ステップＳ２１で、室内温度Ｔ１が第３基準温度Ｔ０＋２以上でないと判定されると、ステップＳ２１を再度行う。なお、設定温度Ｔ０とは、例えば、ユーザがリモコン（図示せず）で設定する温度を意味する。
【００６３】
次に、ステップＳ２２で、自動暖房運転をサーモＯＦＦする。すなわち、圧縮機１および室内ファン５Ｃを停止させて、自動暖房運転を一時停止状態にする。
【００６４】
次に、ステップＳ２３で、室内温度Ｔ１が、設定温度Ｔ０に所定の温度（例えば１℃）を加えた温度（以下、「第２基準温度Ｔ０＋１」と言う。）以上であるか否かを判定する。このステップＳ２３で、室内温度Ｔ１を第２基準温度Ｔ０＋１以上であると判定すると、次のステップＳ２４に進む。一方、ステップＳ２３で、室内温度Ｔ１を第２基準温度Ｔ０＋１以上でないと判定されると、ステップＳ２３を再度行う。
【００６５】
次に、ステップＳ２４で、室内の空調負荷が所定の標準空調負荷以下であるか否かを判定する。より具体的に言うと、ステップＳ２４では、室内温度Ｔ１が所定の室内温度（例えば２０℃）以下、かつ、室外温度センサ１３によって検出された室外温度Ｔ２が所定の室外温度（例えば７℃）以上になっているかが判定される。このステップＳ２４で、室内温度Ｔ１が所定の室内温度以下、かつ、室外温度Ｔ２が所定の室外温度以上になっていると判定されると、次のステップＳ２５に進む。一方、ステップＳ２４で、室内温度Ｔ１が所定の室内温度以下、かつ、室外温度Ｔ２が所定の室外温度以上になっていないと判定されると、ステップＳ３１で、自動暖房運転を再開して、ステップＳ２１に戻る。
【００６６】
次に、ステップＳ２５で、小能力暖房運転を開始する。この小能力暖房運転での室内ファン５Ｃの回転数は、低能力室内機２０Ｃに手動で設定可能な最小風量つまり「微小風量」に対応する回転数よりも小さい回転数（例えば８００ｒｐｍ）に設定される。このとき、低能力室内機２０Ｃの風量は、例えば１．５ｍ３／ｍｉｎとなる。また、小能力暖房運転での圧縮機１の周波数は、ステップＳ３１で再開する自動暖房運転ための圧縮機１の周波数（例えば１４Ｈｚ）よりも低い周波数（１０Ｈｚ）に設定される。また、小能力暖房運転中、室内ファン５Ｃの回転数と、圧縮機１の周波数とは、一定に保持される。
【００６７】
次に、ステップＳ２６で、室内温度Ｔ１が設定温度Ｔ０未満であるか否かを判定する。このステップＳ２６で、室内温度Ｔ１が設定温度Ｔ０未満であると判定されると、ステップＳ２７で、小能力暖房運転を終了させて、ステップＳ３１に進む。一方、ステップＳ２６で、室内温度Ｔ１が設定温度Ｔ０未満でないと判定されると、ステップＳ２６を再び行う。
【００６８】
ここで、第１運転制御部１００ａがステップＳ２２を、判定部１００ｂがステップＳ２４を、第２運転制御部１００ｃがステップＳ２５を、それぞれ実行する。また、ステップＳ２４からステップＳ３１に進んだとき、第３運転制御部１００ｄがステップＳ３１を実行する。また、ステップＳ２６からステップＳ３１に進んだとき、制御モード変更部１００ｅがステップＳ２７，Ｓ３１を実行する。
【００６９】
このように、低能力室内機２０Ｃがサーモ復帰して自動暖房運転を行うとき、第２運転制御部１００ｃがステップＳ２５を実行するので、ユーザが手動で設定可能な回転数よりも低い回転数で室内ファン５Ｃが回転する。したがって、室内温度Ｔ１が短時間で設定温度Ｔ０を上回ることがないので、室内を暖房するとき、発停回数の増加を抑制することができる。
【００７０】
また、低能力室内機２０Ｃがサーモ復帰して自動暖房運転を行うとき、第２運転制御部１００ｃがステップＳ２５を実行するので、ステップＳ３１で再開する自動暖房運転ための圧縮機１の周波数よりも低い周波数で圧縮機１が駆動する。したがって、低能力室内機２０Ｃから吹き出された暖気が、室内空間の下部を経由せずに舞い上がって、低能力室内機２０Ｃに吸い込まれるという現象が、起こり難くなる。すなわち、ショートサーキットの発生を抑制することができる。
【００７１】
また、第１運転制御部１００ａがステップＳ２２を実行するので、自動暖房運転を確実に一時停止させることができる。
【００７２】
また、第３運転制御部１００ｄおよび制御モード変更部１００ｅがＳ３１を実行するので、ユーザは低能力室内機２０Ｃの風量を再度設定しなくて済む。
【００７３】
また、制御モード変更部１００ｅがステップＳ２７，Ｓ３１を実行するので、小能力暖房運転が開始された後、室内温度Ｔ１と設定温度Ｔ０との差が増大するのを抑制することができる。
【００７４】
また、低能力室内機２０Ｃの定格冷房能力が２．２ｋＷ未満であるので、洗面所やキッチンなどの狭い空間に適した暖房を行うことができる。
【００７５】
上記実施形態では、低能力室内機２０Ｃの定格冷房能力は、０.８ｋＷであったが、０.８ｋＷ以外であってもよい。このようにする場合、設置箇所が洗面所などの空間（例えば、部屋面積３.３ｍ２×天井高さ２.４ｍの空間）を低能力室内機２０Ｃを空調する観点上、低能力室内機２０Ｃの定格冷房能力を２.２ｋＷ未満とするのが好ましい。
【００７６】
上記実施形態では、ステップＳ２で、自動冷房運転がサーモＯＦＦされたとき、ステップＳ２〜Ｓ７，Ｓ１１の制御が行われたが、自動冷房運転以外の冷房運転（例えば、送風量が固定される冷房運転）が、サーモＯＦＦでされたとき、ステップＳ２〜Ｓ７，Ｓ１１と同様の制御が行われるようにしてもよい。
【００７７】
上記実施形態では、ステップＳ４で、室内の空調負荷が所定の標準空調負荷以下でないと判定されたとき、ステップＳ１１で、サーモＯＦＦで一時停止された自動冷房運転が再開されるようになっていたが、自動冷房運転以外の運転（例えば、送風量が固定される冷房運転）が開始されるようにしてもよい。
【００７８】
上記実施形態では、小能力冷房運転時の圧縮機１の周波数は、ステップＳ１１で再開する自動冷房運転の圧縮機１の周波数よりも低くなるようにしていたが、自動冷房運転の圧縮機１の周波数と同じにしたり、圧縮機を運転するための周波数のうちの最低周波数と同じにしたりしてもよい。
【００７９】
上記実施形態では、ステップＳ２２で、自動暖房運転がサーモＯＦＦされたとき、ステップＳ２２〜Ｓ２７，Ｓ３１の制御が行われたが、自動暖房運転以外の暖房運転（例えば、送風量が固定される暖房運転）が、サーモＯＦＦでされたとき、ステップＳ２２〜Ｓ２７，Ｓ３１と同様の制御が行われるようにしてもよい。
【００８０】
上記実施形態では、ステップＳ２４で、室内の空調負荷が所定の標準空調負荷以下でないと判定されたとき、ステップＳ３１で、サーモＯＦＦで一時停止された自動暖房運転が再開されるようになっていたが、自動暖房運転以外の運転（例えば、送風量が固定される暖房運転）が開始されるようにしてもよい。
【００８１】
上記実施形態では、小能力暖房運転時の圧縮機１の周波数は、ステップＳ３１で再開する自動暖房運転の圧縮機１の周波数よりも低くなるようにしていたが、自動暖房運転の圧縮機１の周波数と同じにしたり、圧縮機を運転するための周波数のうちの最低周波数と同じにしたりしてもよい。
【００８２】
上記実施形態において、第１運転制御部１００ａと、判定部１００ｂと、第２運転制御部１００ｃと、制御モード変更部１００ｅとの少なくとも一つは、ソフトウェアで構成されてもよいし、ハードウェアで構成されてもよい。
【００８３】
本開示の具体的な実施の形態について説明したが、本開示は上記第１,第２実施形態に限定されるものではなく、本開示の範囲内で種々変更して実施することができる。
【符号の説明】
【００８４】
１  圧縮機
２  四路切換弁、
３  室外熱交換器、
４Ａ,４Ｂ,４Ｃ  室内熱交換器
５Ａ,５Ｂ,５Ｃ  室内ファン
６  アキュムレータ
７Ａ,７Ｂ,７Ｃ  冷媒配管接続部
８Ａ,８Ｂ,８Ｃ  冷媒配管接続部
１０  室外機
１１  吐出管温度センサ
１２  室外熱交換器温度センサ
１３  室外温度センサ
１５Ａ,１５Ｂ,１５Ｃ  室内熱交換器温度センサ
１６Ａ,１６Ｂ,１６Ｃ  室内温度センサ
１８  室外制御装置
２０Ａ,２０Ｂ…室内機
２０Ｃ  低能力室内機
１００  室内制御装置
１００ａ  第１運転制御部
１００ｂ  判定部
１００ｃ  第２運転制御部
１００ｄ  第３運転制御部
１００ｅ  制御モード変更部
ＥＶＡ,ＥＶＢ,ＥＶＣ  電動膨脹弁
【図１】
2019143950.tif 000003
【図２】
2019143950.tif 000004
【図３】
2019143950.tif 000005
【図４】
2019143950.tif 000006
【図５】
2019143950.tif 000007
【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
圧縮機（１）、室外熱交換器（３）、膨張機構（ＥＶＣ）および室内熱交換器（４Ｃ）を有し、冷媒が循環する冷媒回路と、
上記室内熱交換器（４Ｃ）に送風する室内ファン（５ｃ）と、
室内温度を検出する室内温度センサ（１６ｃ）と、
制御装置（１００）と
を備え、
上記制御装置（１００）は、
冷房運転時、上記室内温度センサ（１６ｃ）によって検出された室内温度（Ｔ１）が、ユーザが設定した室内温度（Ｔ０）から所定の温度を引いた第１基準温度以下であるとき、冷房運転を一時停止させる一方、暖房運転時、上記室内温度センサ（１６ｃ）によって検出された室内温度（Ｔ１）が、ユーザが設定した室内温度（Ｔ０）に所定の温度を加えた第３基準温度以上であるとき、暖房運転を一時停止させる第１運転制御部（１００ａ）と、
上記第１運転制御部（１００ａ）で冷房運転が一時停止された後、上記室内温度センサ（１６ｃ）によって検出された室内温度（Ｔ１）が、ユーザが設定した室内温度（Ｔ０）に所定の温度を加えた第２基準温度よりも高いとき、または、上記第１運転制御部（１００ａ）で暖房運転が一時停止された後、上記室内温度センサ（１６ｃ）によって検出された室内温度（Ｔ１）が、ユーザが設定した室内温度（Ｔ０）から所定の温度を引いた第４基準温度よりも低いとき、室内の空調負荷が所定の空調負荷以下であるか否かを判定する判定部（１００ｂ）と、
上記判定部（１００ｂ）によって室内の空調負荷が所定の空調負荷以下であると判定されたとき、ユーザが手動で設定可能な回転数よりも低い回転数で上記室内ファン（５ｃ）が回転し、かつ、上記圧縮機（１）が所定の周波数で駆動する条件で、冷房運転または暖房運転を再開させる第２運転制御部（１００ｃ）と
を有することを特徴とする空気調和機。
【請求項２】
請求項１に記載の空気調和機において、
上記制御装置（１００）は、上記判定部１００ｂによって室内の空調負荷が所定の空調負荷を超えると判定されたとき、上記第１運転制御部（１００ａ）で一時停止させた冷房運転または暖房運転を再開させる第３運転制御部（１００ｄ）を有し、
上記所定の周波数は、上記第３運転制御部（１００ｄ）で再開される冷房運転または暖房運転で上記圧縮機（１）を駆動するために使用する周波数以下であることを特徴とする空気調和機。
【請求項３】
請求項１または２に記載の空気調和機において、
上記所定の周波数は、上記圧縮機（１）を運転するための周波数のうちの最低周波数であることを特徴とする空気調和機。
【請求項４】
請求項１から３までのいずれか一項に記載の空気調和機において、
上記第１運転制御部（１００ａ）で一時停止させる冷房運転または暖房運転は、上記室内温度センサ（１６ｃ）（１６ｃ）によって検出された室内温度（Ｔ１）に応じて上記室内ファン（５ｃ）の回転数を自動的に変更する自動冷房運転または自動暖房運転であることを特徴とする空気調和機。
【請求項５】
請求項１から４までのいずれか一項に記載の空気調和機において、
上記制御装置（１００）は、上記第２運転制御部（１００ｃ）で冷房運転が再開された後、上記室内温度センサ（１６ｃ）によって検出された室内温度（Ｔ１）が、ユーザが設定した室内温度（Ｔ０）よりも高いとき、または、上記第２運転制御部（１００ｃ）で暖房運転が再開された後、上記室内温度センサ（１６ｃ）によって検出された室内温度（Ｔ１）が、ユーザが設定した室内温度（Ｔ０）よりも低いとき、上記室内ファン（５ｃ）の回転数と上記圧縮機（１）の周波数との制御モードを、上記第１運転制御部（１００ａ）で一時停止させた冷房運転または暖房運転の制御モードに変更する制御モード変更部（１００ｅ）を有することを特徴とする空気調和機。
【請求項６】
請求項１から５までのいずれか一項に記載の空気調和機において、
冷房定格出力が２．２ｋｗ未満であることを特徴とする空気調和機。
【手続補正２】
【補正対象書類名】明細書
【補正対象項目名】全文
【補正方法】変更
【補正の内容】
【発明の詳細な説明】
【技術分野】
【０００１】
この開示は、空気調和機に関する。
【背景技術】
【０００２】
従来、空気調和機としては、特開平５−１０６２５号公報（特許文献１）に開示されたものがある。この空気調和機は、室温センサの温度読取値が室温設定値より低いとき、圧縮機を起動させると共に、室内機内の送風機（以下、「室内送風機」と言う。）を強風モードにして、暖房運転をする。
【先行技術文献】
【特許文献】
【０００３】
【特許文献１】特開平５−１０６２５号公報
【発明の概要】
【発明が解決しようとする課題】
【０００４】
上記従来の空気調和機では、室内送風機が強風モードで運転するので、室内送風機が強風モードで運転しないときよりも短い時間で、室温センサの温度読取値が室温設定値を超える。このとき、上記暖房運転を一時停止させて、再び、室温センサの温度読取値が室温設定値より低いとき、暖房運転を再開すると、発停が頻繁に繰り返されてしまうという問題が生じてしまう。
【０００５】
この開示では、発停の増加を抑制できる空気調和機を提供する。
【課題を解決するための手段】
【０００６】
この開示の空気調和機は、
圧縮機、室外熱交換器、膨張機構および室内熱交換器を有し、冷媒が循環する冷媒回路と、
上記室内熱交換器に送風する室内ファンと、
室内温度を検出する室内温度センサと、
制御装置と
を備え、
上記制御装置は、
冷房運転時、上記室内温度センサによって検出された室内温度が、ユーザが設定した室内温度から所定の温度を引いた第１基準温度以下であるとき、冷房運転を一時停止させる一方、暖房運転時、上記室内温度センサによって検出された室内温度が、ユーザが設定した室内温度に所定の温度を加えた第３基準温度以上であるとき、暖房運転を一時停止させる第１運転制御部と、
上記第１運転制御部で冷房運転が一時停止された後、上記室内温度センサによって検出された室内温度が、ユーザが設定した室内温度に所定の温度を加えた第２基準温度よりも高いとき、または、上記第１運転制御部で暖房運転が一時停止された後、上記室内温度センサによって検出された室内温度が、ユーザが設定した室内温度から所定の温度を引いた第４基準温度よりも低いとき、室内の空調負荷が所定の空調負荷以下であるか否かを判定する判定部と、
上記判定部によって室内の空調負荷が所定の空調負荷以下であると判定されたとき、ユーザが手動で設定可能な回転数よりも低い回転数で上記室内ファンが回転し、かつ、上記圧縮機が所定の周波数で駆動する条件で、冷房運転または暖房運転を再開させる第２運転制御部と
を有する。
【０００７】
上記構成によれば、上記第１運転制御部により、冷房運転および暖房運転が停止した後、判定部の判定結果に応じて、第２運転制御部により、冷房運転または暖房運転が再開する。このとき、ユーザが手動で設定可能な回転数よりも低い回転数で室内ファンが回転する条件で、冷房運転または暖房運転が再開するので、発停回数の増加を抑制することができる。
【０００８】
この開示の一態様に係る空気調和機では、
上記制御装置は、上記判定部によって室内の空調負荷が所定の空調負荷を超えると判定されたとき、上記第１運転制御部で一時停止させた冷房運転または暖房運転を再開させる第３運転制御部を有し、
上記所定の周波数は、上記第３運転制御部で再開される冷房運転または暖房運転で上記圧縮機を駆動するために使用する周波数以下である。
【０００９】
上記態様によれば、上記第２運転制御部により、冷房運転または暖房運転が再開するとき、第３運転制御部で再開される冷房運転または暖房運転で上記圧縮機を駆動するために使用する周波数以下で、圧縮機が駆動する。したがって、冷房運転時、露付きの発生を抑制することができる一方、暖房運転時、ショートサーキットの発生を抑制することができる。
【００１０】
この開示の一態様に係る空気調和機では、
上記所定の周波数は、上記圧縮機を運転するための周波数のうちの最低周波数である。
【００１１】
上記態様によれば、上記第２運転制御部により、冷房運転または暖房運転が再開するとき、圧縮機を運転するための周波数のうちの最低周波数で、圧縮機が駆動するので、露付きおよびショートサーキットの発生を抑制する効果を高めることができる。
【００１２】
この開示の一態様に係る空気調和機では、
上記第１運転制御部で一時停止させる冷房運転または暖房運転は、上記室内温度センサによって検出された室内温度に応じて上記室内ファンの回転数を自動的に変更する自動冷房運転または自動暖房運転である。
【００１３】
上記態様によれば、上記第１制御部により、自動冷房運転または自動暖房運転を確実に一時停止させることができる。
【００１４】
この開示の一態様に係る空気調和機では、
上記制御装置は、上記第２運転制御部で冷房運転が再開された後、上記室内温度センサによって検出された室内温度が、ユーザが設定した室内温度よりも高いとき、または、上記第２運転制御部で暖房運転が再開された後、上記室内温度センサによって検出された室内温度が、ユーザが設定した室内温度よりも低いとき、上記室内ファンの回転数と上記圧縮機の周波数との制御モードを、上記第１運転制御部で一時停止させた冷房運転または暖房運転の制御モードに変更する制御モード変更部を有する。
【００１５】
上記態様によれば、上記制御モード変更部により、第２運転制御部で冷房運転が再開された後、室内温度と設定温度との差が増加するのを抑制することができる。
【００１６】
この開示の一態様に係る空気調和機では、
冷房定格出力が２．２ｋｗ未満である。
【００１７】
上記態様によれば、定格冷房能力が２．２ｋＷ未満であるので、洗面所やキッチンなどの狭い空間に適した空調を行うことができる。
【図面の簡単な説明】
【００１８】
【図１】本開示の一実施形態の低能力室内機を備えたマルチ型空気調和機の構成図である。
【図２】上記低能力室内機の斜め下方から見た外観図である。
【図３】上記低能力室内機の室内制御装置のブロック図である。
【図４】上記室内制御装置が自動冷房運転時に行う制御を説明するためのフローチャートである。
【図５】上記室内制御装置が自動暖房運転時に行う制御を説明するためのフローチャートである。
【発明を実施するための形態】
【００１９】
以下、空気調和機の実施形態を説明する。なお、各図において共通する部分には同一の符号を付し、重複した説明を省略する。
【００２０】
図１は、本開示の一実施形態の低能力室内機２０Ｃを備えたマルチ型空気調和機の構成図である。
【００２１】
上記マルチ型空気調和機は、図１に示すように、室内熱交換器４Ａと室内ファン５Ａを有する室内機２０Ａと、室内熱交換器４Ｂと室内ファン５Ｂを有する室内機２０Ｂと、室内熱交換器４Ｃと室内ファン５Ｃを有する低能力室内機２０Ｃと、室内機２０Ａ,２０Ｂおよび低能力室内機２０Ｃに冷媒配管を介して接続された室外機１０とを備えている。この室内ファン５Ａ，５Ｂ，５Ｃは、室内熱交換器４Ａ，４Ｂ，４Ｃに送風する。
【００２２】
室外機１０は、複数の室内機が接続可能なマルチ型空気調和機に対応しており、低能力室内機２０Ｃは、マルチ型空気調和機の室内機として動作可能である。
【００２３】
図１において、１は圧縮機、２は圧縮機１の吐出側に一端が接続された四路切換弁、３は四路切換弁２の他端に一端が接続された室外熱交換器、ＥＶＡ,ＥＶＢ,ＥＶＣは室外熱交換器３の他端に一端が夫々接続された電動膨脹弁、４Ａ,４Ｂ,４Ｃは電動膨脹弁ＥＶＡ,ＥＶＢ,ＥＶＣの他端に一端が夫々接続された室内熱交換器、６は室内熱交換器４Ａ,４Ｂ,４Ｃの他端に四路切換弁２を介して一端が接続され、他端が圧縮機１の吸入側に接続されたアキュムレータである。室内熱交換器４Ａ,４Ｂ,４Ｃ近傍に室内ファン５Ａ,５Ｂ,５Ｃを夫々配置している。なお、電動膨脹弁ＥＶＣは膨張機構の一例である。
【００２４】
また、電動膨脹弁ＥＶＡ,ＥＶＢ,ＥＶＣの他端に複数の冷媒配管接続部７Ａ,７Ｂ,７Ｃが接続され、その複数の冷媒配管接続部７Ａ,７Ｂ,７Ｃに連絡配管(冷媒配管)を介して室内熱交換器４Ａ,４Ｂ,４Ｃの一端を夫々接続している。また、室内熱交換器４Ａ,４Ｂ,４Ｃの他端に連絡配管(冷媒配管)を介して複数の冷媒配管接続部８Ａ,８Ｂ,８Ｃが接続されている。
【００２５】
上記圧縮機１と四路切換弁２と室外熱交換器３と電動膨脹弁ＥＶＡ,ＥＶＢ,ＥＶＣと室内熱交換器４Ａ,４Ｂ,４Ｃおよびアキュムレータ６で冷媒回路を構成している。この冷媒回路には、例えば、微燃性のＲ３２冷媒が充填されている。
【００２６】
また、上記圧縮機１の吐出側に吐出管温度センサ１１を設けている。また、室外熱交換器３に室外熱交換器温度を検出する室外熱交換器温度センサ１２を設けると共に、室外熱交換器３の近傍に室外温度を検出する室外温度センサ１３を設けている。
【００２７】
また、室内熱交換器４Ａに室内熱交換器温度を検出する室内熱交換器温度センサ１５Ａを設け、室内熱交換器４Ａの近傍に室内温度を検出する室内温度センサ１６Ａを設けている。また、室内熱交換器４Ｂに室内熱交換器温度を検出する室内熱交換器温度センサ１５Ｂを設け、室内熱交換器４Ｂの近傍に室内温度を検出する室内温度センサ１６Ｂを設けている。また、室内熱交換器４Ｃに室内熱交換器温度を検出する室内熱交換器温度センサ１５Ｃを設け、室内熱交換器４Ｃの近傍に室内温度を検出する室内温度センサ１６Ｃを設けている。
【００２８】
上記室外機１０は、マイクロコンピュータと入出力回路などからなる室外制御装置１８を備えている。また、室内機２０Ａ,２０Ｂは、図示しない室内制御装置を夫々備えており、低能力室内機２０Ｃは、室内制御装置１００（図３に示す）を備えている。なお、室内制御装置１００は制御装置の一例である。
【００２９】
室内機２０Ａ,２０Ｂの各室内制御装置および低能力室内機２０Ｃの室内制御装置１００は、室外機１０の室外制御装置１８と通信線(図示せず)を介して互いに通信を行うことにより、室外制御装置１８と室内機２０Ａ,２０Ｂの室内制御装置および低能力室内機２０Ｃの室内制御装置１００が協調動作することにより、マルチ型空気調和機として動作する。
【００３０】
上記マルチ型空気調和機において、室内機２０Ａ,２０Ｂおよび低能力室内機２０Ｃで冷房運転を行う場合、四路切換弁２を点線の位置に切り換えて、圧縮機１の運転を開始する。そして、電動膨脹弁ＥＶＡ,ＥＶＢ,ＥＶＣを夫々所定の開度に開く。そして、圧縮機１から吐出した高温高圧のガス冷媒は、室外熱交換器３で室外ファン(図示せず)を運転することにより室外空気との熱交換により凝縮して液冷媒となる。次に、室内熱交換器４Ａ,４Ｂ,４Ｃからの液冷媒は、電動膨脹弁ＥＶＡ,ＥＶＢ,ＥＶＣで減圧された後、室内ファン５Ａ,５Ｂ,５Ｃを運転することにより室内熱交換器４Ａ,４Ｂ,４Ｃで室内空気との熱交換により蒸発してガス冷媒となり、圧縮機１の吸入側に戻る。
【００３１】
ここで、室内機２０Ａ,２０Ｂの定格冷房能力は２.２ｋＷであり、低能力室内機２０Ｃの定格冷房能力は０.８ｋＷである。すなわち、低能力室内機２０Ｃは、室内機２０Ａ,２０Ｂよりも能力が低い。
【００３２】
一方、室内機２０Ａ,２０Ｂおよび低能力室内機２０Ｃで暖房運転を行う場合、四路切換弁２を実線の位置に切り換えて、圧縮機１の運転を開始する。そして、電動膨脹弁ＥＶＡ,ＥＶＢ,ＥＶＣを夫々所定の開度に開く。そして、圧縮機１から吐出した高温高圧のガス冷媒は、室内ファン５Ａ,５Ｂ,５Ｃを運転することにより室内熱交換器４Ａ,４Ｂ,４Ｃで室内空気との熱交換により凝縮して液冷媒となる。次に、室内熱交換器４Ａ,４Ｂ,４Ｃからの液冷媒は、電動膨脹弁ＥＶＡ,ＥＶＢ,ＥＶＣで減圧された後、室外熱交換器３で室外ファン(図示せず)を運転することにより室外空気との熱交換により蒸発してガス冷媒となり、圧縮機１の吸入側に戻る。
【００３３】
図２は、低能力室内機２０Ｃを斜め下方から見た外観図である。この室内機は、天井埋め込み型の室内機である。
【００３４】
低能力室内機２０Ｃは、図２に示すように、ケーシング本体１０１と、ケーシング本体１０１の下側に取り付けられた矩形状のパネル１０２と、パネル１０２に着脱可能に取り付けられたグリル１０３とを備えている。
【００３５】
パネル１０２の長手方向の一方に、パネル１０２の短辺に沿って吹出口１１０を設けている。また、パネル１０２にフラップ１２０を回動可能に取り付けている。図２では、フラップ１２０により吹出口１１０が閉じられた状態を示す。
【００３６】
また、ケーシング本体１０１の側壁から突出するようにドレンソケット１０７を設けている。このドレンソケット１０７に外部からドレンホース(図示せず)を接続する。また、配管接続部１０５,１０６を、ケーシング本体１０１の側壁から突出するように設けている。この配管接続部１０５,１０６に、外部から冷媒配管(図示せず)を接続する。
【００３７】
なお、図２において、１０８は電装品部であり、１１１〜１１３は、ケーシング本体１０１から側方に突出するように夫々設けられた吊り金具である。
【００３８】
図３は、低能力室内機２０Ｃの室内制御装置１００のブロック図である。
【００３９】
上記低能力室内機２０Ｃは、図３に示すように、マイクロコンピュータと入出力回路などからなる室内制御装置１００を備えている。室内制御装置１００は、室内熱交換器温度センサ１５Ｃと、室内温度センサ１６Ｃと、ファンモータ２１と、フラップ駆動部２２と、表示部２３が接続されている。また、室内制御装置１００は、第１運転制御部１００ａと、判定部１００ｂと、第２運転制御部１００ｃと、制御モード変更部１００ｅとを有する。また、室内制御装置１００は、室外制御装置１８と通信を行うことにより、室外温度センサ１３によって検出された室外温度を把握することが可能となっている。
【００４０】
第１運転制御部１００ａは、自動冷房運転時、室内温度センサ１６Ｃによって検出された室内温度が、ユーザが設定した室内温度以下であるとき、自動冷房運転を一時停止させる一方、自動暖房運転時、室内温度センサ１６Ｃによって検出された室内温度が、ユーザが設定した室内温度以上であるとき、自動暖房運転を一時停止させる。
【００４１】
ここで、上記自動冷房運転とは、室内温度センサ１６Ｃによって検出された室内温度に応じて室内ファン５Ｃの回転数を自動的に変更する冷房運転を意味する。また、上記自動暖房運転とは、室内温度センサ１６Ｃによって検出された室内温度に応じて室内ファン５Ｃの回転数を自動的に変更する暖房運転を意味する。
【００４２】
判定部１００ｂは、第１運転制御部１００ａで自動冷房運転が一時停止された後、室内温度センサ１６Ｃによって検出された室内温度が、ユーザが設定した室内温度よりも高いとき、または、第１運転制御部１００ａで自動暖房運転が一時停止された後、室内温度センサ１６Ｃによって検出された室内温度が、ユーザが設定した室内温度よりも低いとき、室内の空調負荷が所定の空調負荷以下であるか否かを判定する。
【００４３】
第２運転制御部１００ｃは、判定部１００ｂによって室内の空調負荷が所定の空調負荷以下であると判定されたとき、ユーザが手動で設定可能な回転数よりも低い回転数で室内ファン５Ｃが回転し、かつ、圧縮機１が所定の周波数で駆動する条件で、自動冷房運転または自動暖房運転を再開させる。
【００４４】
第３運転制御部１００ｄは、判定部１００ｂによって室内の空調負荷が所定の空調負荷を超えると判定されたとき、第１運転制御部１００ａで一時停止させた自動冷房運転または自動暖房運転を再開させる。
【００４５】
制御モード変更部１００ｅは、第２運転制御部で自動冷房運転が再開された後、室内温度センサ１６Ｃによって検出された室内温度が、ユーザが設定した室内温度よりも高いとき、または、第２運転制御部で自動暖房運転が再開された後、室内温度センサ１６Ｃによって検出された室内温度が、ユーザが設定した室内温度よりも低いとき、室内ファン５Ｃの回転数と圧縮機１の周波数との制御モードを、第１運転制御部１００ａで一時停止させた自動冷房運転または自動暖房運転の制御モードに変更する。
【００４６】
図４は、室内制御装置１００が自動冷房運転時に行う制御を説明するためのフローチャートである。この制御は自動冷房運転の開始に応じてスタートする。
【００４７】
上記制御がスタートすると、図４に示すように、まず、ステップＳ１で、室内温度センサ１６Ｃによって検出された室内温度Ｔ１が、設定温度Ｔ０から所定の温度（例えば２℃）を引いた温度（以下、「第１基準温度Ｔ０−２」と言う。）以下になっているか否かを判定する。このステップＳ１で、室内温度Ｔ１が第１基準温度Ｔ０−２以下であると判定すると、次のステップＳ２に進む。一方、ステップＳ１で、室内温度Ｔ１が第１基準温度Ｔ０−２以下でないと判定されると、ステップＳ１を再度行う。なお、設定温度Ｔ０とは、例えば、ユーザがリモコン（図示せず）で設定する温度を意味する。
【００４８】
次に、ステップＳ２で、自動冷房運転をサーモＯＦＦする。すなわち、圧縮機１および室内ファン５Ｃを停止させて、自動冷房運転を一時停止状態にする。
【００４９】
次に、ステップＳ３で、室内温度Ｔ１が、設定温度Ｔ０に所定の温度（例えば１℃）を加えた温度（以下、「第２基準温度Ｔ０＋１」と言う。）以上であるか否かを判定する。このステップＳ３で、室内温度Ｔ１を第２基準温度Ｔ０＋１以上であると判定すると、次のステップＳ４に進む。一方、ステップＳ３で、室内温度Ｔ１を第２基準温度Ｔ０＋１以上でないと判定されると、ステップＳ３を再度行う。
【００５０】
次に、ステップＳ４で、室内の空調負荷が所定の標準空調負荷以下であるか否かを判定する。より具体的に言うと、ステップＳ４では、室内温度Ｔ１が所定の室内温度（例えば２７℃）以下、かつ、室外温度センサ１３によって検出された室外温度Ｔ２が所定の室外温度（例えば３５℃）以下になっているかが判定される。このステップＳ４で、室内温度Ｔ１が所定の室内温度以下、かつ、室外温度Ｔ２が所定の室外温度以下になっていると判定されると、次のステップＳ５に進む。一方、ステップＳ４で、室内温度Ｔ１が所定の室内温度以下、かつ、室外温度Ｔ２が所定の室外温度以下になっていないと判定されると、ステップＳ１１で、自動冷房運転を再開して、ステップＳ１に戻る。
【００５１】
次に、ステップＳ５で、小能力冷房運転を開始する。この小能力冷房運転での室内ファン５Ｃの回転数は、冷房運転時、低能力室内機２０Ｃに手動で設定可能な最小風量に対応する回転数よりも小さい回転数（例えば６５０ｒｐｍ）に設定される。このとき、低能力室内機２０Ｃの風量は、例えば１ｍ３／ｍｉｎとなる。また、小能力冷房運転での圧縮機１の周波数は、ステップＳ１１で再開する自動冷房運転ための圧縮機１の周波数（例えば１０Ｈｚ）よりも低い周波数（６Ｈｚ）に設定される。また、小能力冷房運転中、室内ファン５Ｃの回転数と、圧縮機１の周波数とは、一定に保持される。
【００５２】
ここで、低能力室内機２０Ｃの風量は、例えば、「大風量」、「第１中間風量」、「中風量」、「第２中間風量」、「小風量」、「微小風量」の６段階に手動で設定することが可能になっている。この「第１中間風量」は、「大風量」より少なく、かつ、「中風量」よりも多い風量である。また、「第２中間風量」は、「中風量」よりも少なく、かつ、「小風量」よりも多い風量である。また、「大風量」は「中風量」よりも多い風量であり、「小風量」は「中風量」よりも少ない風量である。すなわち、「微小風量」が、低能力室内機２０Ｃに手動で設定可能な最小風量に相当する。また、「微小風量」が手動で設定されたとき、室内ファン５Ｃの回転数は例えば１０００ｒｐｍとなる。
【００５３】
次に、ステップＳ６で、室内温度Ｔ１が設定温度Ｔ０を超えているか否かを判定する。このステップＳ６で、室内温度Ｔ１が設定温度Ｔ０を超えていると判定されると、ステップＳ７で、小能力冷房運転を終了させて、ステップＳ１１に進む。一方、ステップＳ６で、室内温度Ｔ１が設定温度Ｔ０を超えていないと判定されると、ステップＳ６を再び行う。
【００５４】
ここで、第１運転制御部１００ａがステップＳ２を、判定部１００ｂがステップＳ４を、第２運転制御部１００ｃがステップＳ５を、それぞれ実行する。また、ステップＳ４からステップＳ１１に進んだとき、第３運転制御部１００ｄがステップＳ１１を実行する。また、ステップＳ６からステップＳ１１に進んだとき、制御モード変更部１００ｅがステップＳ７，Ｓ１１を実行する。
【００５５】
このように、低能力室内機２０Ｃがサーモ復帰して自動冷房運転を行うとき、第２運転制御部１００ｃがステップＳ５を実行するので、ユーザが手動で設定可能な回転数よりも低い回転数で室内ファン５Ｃが回転する。したがって、室内温度Ｔ１が短時間で設定温度Ｔ０を下回ることがないので、室内を冷房するとき、発停回数の増加を抑制することができる。
【００５６】
また、低能力室内機２０Ｃがサーモ復帰して自動冷房運転を行うとき、第２運転制御部１００ｃがステップＳ５を実行するので、ステップＳ１１で再開する自動冷房運転ための圧縮機１の周波数よりも低い周波数で圧縮機１が駆動する。したがって、フラップ１２０で結露が生じ難くなる。すなわち、低能力室内機２０Ｃにおいて、露付の発生を抑制することができる。
【００５７】
また、第１運転制御部１００ａがステップＳ２を実行するので、自動冷房運転を確実に一時停止させることができる。
【００５８】
また、第３運転制御部１００ｄおよび制御モード変更部１００ｅがＳ１１を実行するので、ユーザは低能力室内機２０Ｃの風量を再度設定しなくて済む。
【００５９】
また、制御モード変更部１００ｅがステップＳ７，Ｓ１１を実行するので、小能力冷房運転が開始された後、室内温度Ｔ１と設定温度Ｔ０との差が増大するのを抑制することができる。
【００６０】
また、低能力室内機２０Ｃの定格冷房能力が２．２ｋＷ未満であるので、洗面所やキッチンなどの狭い空間に適した冷房を行うことができる。
【００６１】
図５は、室内制御装置１００が自動暖房運転時に行う制御を説明するためのフローチャートである。この制御は自動暖房運転の開始に応じてスタートする。
【００６２】
上記制御がスタートすると、図５に示すように、まず、ステップＳ２１で、室内温度センサ１６Ｃによって検出された室内温度Ｔ１が、設定温度Ｔ０から所定の温度（例えば２℃）を加えた温度（以下、「第３基準温度Ｔ０＋２」と言う。）以上になっているか否かを判定する。このステップＳ２１で、室内温度Ｔ１が第３基準温度Ｔ０＋２以上であると判定すると、次のステップＳ２２に進む。一方、ステップＳ２１で、室内温度Ｔ１が第３基準温度Ｔ０＋２以上でないと判定されると、ステップＳ２１を再度行う。なお、設定温度Ｔ０とは、例えば、ユーザがリモコン（図示せず）で設定する温度を意味する。
【００６３】
次に、ステップＳ２２で、自動暖房運転をサーモＯＦＦする。すなわち、圧縮機１および室内ファン５Ｃを停止させて、自動暖房運転を一時停止状態にする。
【００６４】
次に、ステップＳ２３で、室内温度Ｔ１が、設定温度Ｔ０に所定の温度（例えば１℃）を引いた温度（以下、「第４基準温度Ｔ０−１」と言う。）以下であるか否かを判定する。このステップＳ２３で、室内温度Ｔ１を第２基準温度Ｔ０−１以下であると判定すると、次のステップＳ２４に進む。一方、ステップＳ２３で、室内温度Ｔ０−１を第２基準温度Ｔ０＋１以下でないと判定されると、ステップＳ２３を再度行う。
【００６５】
次に、ステップＳ２４で、室内の空調負荷が所定の標準空調負荷以下であるか否かを判定する。より具体的に言うと、ステップＳ２４では、室内温度Ｔ１が所定の室内温度（例えば２０℃）以下、かつ、室外温度センサ１３によって検出された室外温度Ｔ２が所定の室外温度（例えば７℃）以上になっているかが判定される。このステップＳ２４で、室内温度Ｔ１が所定の室内温度以下、かつ、室外温度Ｔ２が所定の室外温度以上になっていると判定されると、次のステップＳ２５に進む。一方、ステップＳ２４で、室内温度Ｔ１が所定の室内温度以下、かつ、室外温度Ｔ２が所定の室外温度以上になっていないと判定されると、ステップＳ３１で、自動暖房運転を再開して、ステップＳ２１に戻る。
【００６６】
次に、ステップＳ２５で、小能力暖房運転を開始する。この小能力暖房運転での室内ファン５Ｃの回転数は、低能力室内機２０Ｃに手動で設定可能な最小風量つまり「微小風量」に対応する回転数よりも小さい回転数（例えば８００ｒｐｍ）に設定される。このとき、低能力室内機２０Ｃの風量は、例えば１．５ｍ３／ｍｉｎとなる。また、小能力暖房運転での圧縮機１の周波数は、ステップＳ３１で再開する自動暖房運転ための圧縮機１の周波数（例えば１４Ｈｚ）よりも低い周波数（１０Ｈｚ）に設定される。また、小能力暖房運転中、室内ファン５Ｃの回転数と、圧縮機１の周波数とは、一定に保持される。
【００６７】
次に、ステップＳ２６で、室内温度Ｔ１が設定温度Ｔ０未満であるか否かを判定する。このステップＳ２６で、室内温度Ｔ１が設定温度Ｔ０未満であると判定されると、ステップＳ２７で、小能力暖房運転を終了させて、ステップＳ３１に進む。一方、ステップＳ２６で、室内温度Ｔ１が設定温度Ｔ０未満でないと判定されると、ステップＳ２６を再び行う。
【００６８】
ここで、第１運転制御部１００ａがステップＳ２２を、判定部１００ｂがステップＳ２４を、第２運転制御部１００ｃがステップＳ２５を、それぞれ実行する。また、ステップＳ２４からステップＳ３１に進んだとき、第３運転制御部１００ｄがステップＳ３１を実行する。また、ステップＳ２６からステップＳ３１に進んだとき、制御モード変更部１００ｅがステップＳ２７，Ｓ３１を実行する。
【００６９】
このように、低能力室内機２０Ｃがサーモ復帰して自動暖房運転を行うとき、第２運転制御部１００ｃがステップＳ２５を実行するので、ユーザが手動で設定可能な回転数よりも低い回転数で室内ファン５Ｃが回転する。したがって、室内温度Ｔ１が短時間で設定温度Ｔ０を上回ることがないので、室内を暖房するとき、発停回数の増加を抑制することができる。
【００７０】
また、低能力室内機２０Ｃがサーモ復帰して自動暖房運転を行うとき、第２運転制御部１００ｃがステップＳ２５を実行するので、ステップＳ３１で再開する自動暖房運転ための圧縮機１の周波数よりも低い周波数で圧縮機１が駆動する。したがって、低能力室内機２０Ｃから吹き出された暖気が、室内空間の下部を経由せずに舞い上がって、低能力室内機２０Ｃに吸い込まれるという現象が、起こり難くなる。すなわち、ショートサーキットの発生を抑制することができる。
【００７１】
また、第１運転制御部１００ａがステップＳ２２を実行するので、自動暖房運転を確実に一時停止させることができる。
【００７２】
また、第３運転制御部１００ｄおよび制御モード変更部１００ｅがＳ３１を実行するので、ユーザは低能力室内機２０Ｃの風量を再度設定しなくて済む。
【００７３】
また、制御モード変更部１００ｅがステップＳ２７，Ｓ３１を実行するので、小能力暖房運転が開始された後、室内温度Ｔ１と設定温度Ｔ０との差が増大するのを抑制することができる。
【００７４】
また、低能力室内機２０Ｃの定格冷房能力が２．２ｋＷ未満であるので、洗面所やキッチンなどの狭い空間に適した暖房を行うことができる。
【００７５】
上記実施形態では、低能力室内機２０Ｃの定格冷房能力は、０.８ｋＷであったが、０.８ｋＷ以外であってもよい。このようにする場合、設置箇所が洗面所などの空間（例えば、部屋面積３.３ｍ２×天井高さ２.４ｍの空間）を低能力室内機２０Ｃを空調する観点上、低能力室内機２０Ｃの定格冷房能力を２.２ｋＷ未満とするのが好ましい。
【００７６】
上記実施形態では、ステップＳ２で、自動冷房運転がサーモＯＦＦされたとき、ステップＳ２〜Ｓ７，Ｓ１１の制御が行われたが、自動冷房運転以外の冷房運転（例えば、送風量が固定される冷房運転）が、サーモＯＦＦでされたとき、ステップＳ２〜Ｓ７，Ｓ１１と同様の制御が行われるようにしてもよい。
【００７７】
上記実施形態では、ステップＳ４で、室内の空調負荷が所定の標準空調負荷以下でないと判定されたとき、ステップＳ１１で、サーモＯＦＦで一時停止された自動冷房運転が再開されるようになっていたが、自動冷房運転以外の運転（例えば、送風量が固定される冷房運転）が開始されるようにしてもよい。
【００７８】
上記実施形態では、小能力冷房運転時の圧縮機１の周波数は、ステップＳ１１で再開する自動冷房運転の圧縮機１の周波数よりも低くなるようにしていたが、自動冷房運転の圧縮機１の周波数と同じにしたり、圧縮機を運転するための周波数のうちの最低周波数と同じにしたりしてもよい。
【００７９】
上記実施形態では、ステップＳ２２で、自動暖房運転がサーモＯＦＦされたとき、ステップＳ２２〜Ｓ２７，Ｓ３１の制御が行われたが、自動暖房運転以外の暖房運転（例えば、送風量が固定される暖房運転）が、サーモＯＦＦでされたとき、ステップＳ２２〜Ｓ２７，Ｓ３１と同様の制御が行われるようにしてもよい。
【００８０】
上記実施形態では、ステップＳ２４で、室内の空調負荷が所定の標準空調負荷以下でないと判定されたとき、ステップＳ３１で、サーモＯＦＦで一時停止された自動暖房運転が再開されるようになっていたが、自動暖房運転以外の運転（例えば、送風量が固定される暖房運転）が開始されるようにしてもよい。
【００８１】
上記実施形態では、小能力暖房運転時の圧縮機１の周波数は、ステップＳ３１で再開する自動暖房運転の圧縮機１の周波数よりも低くなるようにしていたが、自動暖房運転の圧縮機１の周波数と同じにしたり、圧縮機を運転するための周波数のうちの最低周波数と同じにしたりしてもよい。
【００８２】
上記実施形態において、第１運転制御部１００ａと、判定部１００ｂと、第２運転制御部１００ｃと、制御モード変更部１００ｅとの少なくとも一つは、ソフトウェアで構成されてもよいし、ハードウェアで構成されてもよい。
【００８３】
本開示の具体的な実施の形態について説明したが、本開示は上記第１,第２実施形態に限定されるものではなく、本開示の範囲内で種々変更して実施することができる。
【符号の説明】
【００８４】
１  圧縮機
２  四路切換弁、
３  室外熱交換器、
４Ａ,４Ｂ,４Ｃ  室内熱交換器
５Ａ,５Ｂ,５Ｃ  室内ファン
６  アキュムレータ
７Ａ,７Ｂ,７Ｃ  冷媒配管接続部
８Ａ,８Ｂ,８Ｃ  冷媒配管接続部
１０  室外機
１１  吐出管温度センサ
１２  室外熱交換器温度センサ
１３  室外温度センサ
１５Ａ,１５Ｂ,１５Ｃ  室内熱交換器温度センサ
１６Ａ,１６Ｂ,１６Ｃ  室内温度センサ
１８  室外制御装置
２０Ａ,２０Ｂ…室内機
２０Ｃ  低能力室内機
１００  室内制御装置
１００ａ  第１運転制御部
１００ｂ  判定部
１００ｃ  第２運転制御部
１００ｄ  第３運転制御部
１００ｅ  制御モード変更部
ＥＶＡ,ＥＶＢ,ＥＶＣ  電動膨脹弁